(57)【要約】【課題】本発明の解決すべき課題は発芽、発根の効率がよく、しかも収穫物に異物が付着し難い播種方法を提供することにある。【解決手段】  播種領域の土壌表面に通根性シート１４を被覆し、その上に播種する播種方法であって、  前記シート１４の一部をＶ字状に折り込むとともに、該部分を土壌中に埋め込み、該Ｖ字状折込部１６に種子を挿入することを特徴とする播種方法。【選択図】      図１
2008118950.tif 000002
【特許請求の範囲】
【請求項１】
播種領域の土壌表面に通根性シートを被覆し、その上に播種する播種方法であって、
前記シートの一部をＶ字状に折り込むとともに、該部分を土壌中に埋め込み、該Ｖ字状折込部に種子を挿入することを特徴とする播種方法。
【請求項２】
請求項１記載の方法において、畝幅より広い通根性シートを畝上に配置するシート配置工程と、
前記畝上のシートに対し、畝の長手方向に平行に板状部材を押し込み、前記シートをＶ字状に折り込みつつ土壌中に埋め込むシート埋込工程と、
前記折込部口部に種子を播種する播種工程と、
前記折込部口部の種子を板状部材により折込部底部に押し込む押込工程と、
を備えたことを特徴とする播種方法。
【請求項３】
請求項２記載の方法において、押込工程後に折込部口部両側をローラにより押圧しＶ字状口部幅を減少させることを特徴とする播種方法。
【請求項４】
畝幅より広い通根性シートを畝上に配置するシート配置手段と、
畝の長手方向に平行に配置され、前記シートをＶ字状に折り込みつつ土壌中に埋め込む、回動可能な折込用円板ブレードと、
前記折込用円板ブレードの後段に配置され、折込部口部に種子を播種する播種手段と、
前記折込部口部の種子を板状部材により折込部底部に押し込む、回動可能な押込用円板ブレードと押込工程と、
を備えたことを特徴とする播種装置。
【発明の詳細な説明】
【技術分野】
【０００１】
本発明は播種方法及び播種装置、特に播種領域にシートを被覆しつつその上に播種する方法及び装置の改良に関する。
【背景技術】
【０００２】
従来より播種領域にシートを被覆し、該シートに設けられた開口に播種することにより、水分の蒸散を適度に抑制し、且つ雑草ないし害虫の被害を軽減する播種、生育方法が周知である。
しかしながら、前述したようにシートに存在する開口からは雑草が成育し、また害虫が侵入する場合もあり、シートの効果は限定的であった。
さらに、ケール、ほうれん草などの葉物野菜はその収穫時に土壌或いは雑草が混入すると著しく商品価値を下げる。
【０００３】
この点について、シート自体をメッシュ状のものとし、その上に播種することでシートを介して根を成長させる手法も開発されている。
ところがこの手法では種子がシート上に載置されているのみであるため鳥害は避けえず、また種子が乾燥しやすいため発根するまでは極めて頻繁に散水を行う必要があった。
【特許文献１】特開２００２−３０５９１４
【特許文献２】特開平９−２９３４４９
【発明の開示】
【発明が解決しようとする課題】
【０００４】
本発明は前記従来技術に鑑みなされたものであり、その解決すべき課題は発芽、発根の効率がよく、しかも収穫物に異物が付着し難い播種方法を提供することにある。
【課題を解決するための手段】
【０００５】
前記課題を解決するために本発明にかかる播種方法は、播種領域の土壌表面に通根性シートを被覆し、その上に播種するものであって、
前記シートの一部をＶ字状に折り込むとともに、該部分を土壌中に埋め込み、該Ｖ字状折込部に種子を挿入することを特徴とする。
【０００６】
また、前記方法において、
畝幅より広い通根性シートを畝上に配置するシート配置工程と、
前記畝上のシートに対し、畝の長手方向に平行に板状部材を押し込み、前記シートをＶ字状に折り込みつつ土壌中に埋め込むシート埋込工程と、
前記折込部口部に種子を播種する播種工程と、
前記折込部口部の種子を板状部材により折込部底部に押し込む押込工程と、
を備えることが好適である。
また、前記方法において、押込工程後に折込部口部両側をローラにより押圧しＶ字状口部幅を減少させることが好適である。
【０００７】
また、本発明にかかる播種装置は、
畝幅より広い通根性シートを畝上に配置するシート配置手段と、
畝の長手方向に平行に配置され、前記シートをＶ字状に折り込みつつ土壌中に埋め込む、回動可能な折込用円板ブレードと、
前記折込用円板ブレードの後段に配置され、折込部口部に種子を播種する播種手段と、
前記折込部口部の種子を板状部材により折込部底部に押し込む、回動可能な押込用円板ブレードと押込工程と、
を備えたことを特徴とする。
【０００８】
なお、本発明において、通根性シートは根の成長を阻害することのない不織布ないし編み目状の樹脂或いは繊維製シートであることが好ましく、メッシュである場合には孔径が０．３〜１．０ｍｍであり、土壌中に残存する雑草の種子からの発芽、ないし害虫を通過させないことがより好ましい。
また、本発明は特に葉物野菜に好適に適用され、ケール、ほうれん草、小松菜、チンゲン菜、ベビーリーフなどの畑に適用することができる。
【発明の効果】
【０００９】
以上説明したように本発明にかかる播種方法によれば、シートを介して土中に発根するため、シートに播種用の開口は存在せず、雑草或いは害虫の被害を著しく低減することができる。しかも種子はシートのＶ字状折込部の底部に位置し、これは土壌中であるため湿度が適度に保たれ発芽、発根に悪影響を与えることがない。
【発明を実施するための最良の形態】
【００１０】
以下、図面に基づき本発明の好適な実施形態について説明する。
図１は本発明の一実施形態にかかる播種方法により形成された畝を示している。
同図において、畑１０には数条の畝１２が形成されており、該畝１２は通根性シート１４で被覆されている。そして、シート１４は、一畝３条となるように、その長手方向へＶ字状に土壌中に食い込むように折り込まれている。前記Ｖ字状折込部１６には図示を省略した種子が挿入されている。
【００１１】
図２は前記図１に示した畑１０への播種工程を示している。
まず、図２（Ａ）に示すように畝１２上に、該畝１２よりも大きい幅を有するシート１４を配置する。シート幅は、後述する折込量及び折込本数を考慮して決定される。
次に図２（Ｂ）に示すように折込形成ローラ２０によりシート１４をＶ字状に折り込みつつ畝１２中へ埋め込む。
そして、図２（Ｃ）に示すように種子２２を折込部１６口部に配置し、同図（Ｄ）に示すように種子押込ローラ２４により種子２２をＶ字状折込部１６の底部に押し込む。
【００１２】
この際、種子の埋込深さは種子に応じて適宜調整されるが、通常は５〜５０ｍｍ程度である。
さらに、種子２２が押し込まれたＶ字状折込部１６の口部が開放したままであると鳥害或いは乾燥により種子２２の発芽率が下がる可能性があるため、閉口ローラ２６により口部周囲を押圧し、開口幅を縮小させることが好適である。
以上のようにして種子２２は一般の畑等に播種されたときと同様、土壌中に埋め込まれ、好適な温度、湿度環境下で発芽、生育が行われる。
【００１３】
そして、採取時には、図２（Ｆ）に示されるように、Ｖ字状折込部１６の下で根切り（根切り線２８）を行い、シート１２上の野菜３０を採取する。
この結果、野菜３０にはほとんど土壌が付着せずに収穫することが可能となる。
【００１４】
図３は本実施形態において用いられる播種装置の概略構成を示す上面図であり、図４は同装置の側面図である。
同図に示す播種装置４０は、シートガイド４２と、播種フレーム４４を備え、シートガイド４２は畝１２よりもＶ字状折込部１６相当分幅広のシート１４をガイドする。また、播種フレーム４４は折込用円板ブレード２０と、押込用円板ブレード２４と、閉口ローラ２６とをそれぞれ回転自在に保持し、また前記折込用円板ブレード２０と押込用円板ブレード２４の間に、それぞれの折込部１６に対応して播種手段４６を配置している。
【００１５】
そして、播種手段４６は、折込用円板ブレード２０により形成されたＶ字状折込部１６の口部に一定間隔で播種し、口部の種子を押込用円板ブレード２４により折込部底部に押し込み、さらに口部を閉口ローラ２６により閉じるのである。
この操作は、播種装置４０を畝１２の長さ方向に移動させることにより連続的に行われる。
【００１６】
なお、本発明には前記実施形態に限られることなく、例えば図５に示すように畝１２の長手方向に対して直交するようにＶ字状折込部１６を設けることも可能であり、さらに斜めに折込部を設けることもできる。
【図面の簡単な説明】
【００１７】
【図１】本発明の一実施形態にかかる播種状態の説明図である。
【図２】本発明にかかる播種方法の工程説明図である。
【図３】本発明の一実施形態にかかる播種装置の概略構成を示す上面図である。
【図４】本発明の一実施形態にかかる播種装置の概略構成を示す側面図である。
【図５】本発明の他の実施形態にかかる播種状態の説明図である。
【符号の説明】
【００１８】
１０      畑
１２      畝
１４      シート
１６      Ｖ字状折込部
２０      折込形成円板ブレード
２２      種子
２４      種子押込用円板ブレード
【図１】
2008118950.tif 000003
【図２】
2008118950.tif 000004
【図３】
2008118950.tif 000005
【図４】
2008118950.tif 000006
【図５】
2008118950.tif 000007